(57)【要約】      （修正有）【課題】使用者が色温度の異なるＬＥＤ光源を容易に使い分けることができる照明器具を提供する。【解決手段】照明器具は、基台と、基台に支持させたアームと、アーム上に支持された発光ヘッドと、アームに添接し且つ発光ヘッドに電気的に接続している電力供給部４とを具備し、アームが基台並びに発光ヘッドに対してともに回転可能に配することで、発光ヘッドが有しているそれぞれ色温度の異なる昼光色ＬＥＤ３８ａ並びに電球色ＬＥＤ３８ｂを有したＬＥＤ光源３７の配置を変更することにより特定箇所に対する各ＬＥＤ光源３７の照射割合を機械的に変更し得る可変支持機構とを具備する。【選択図】図５
2011054365.tif 000002
【特許請求の範囲】
【請求項１】
色温度の異なる複数種類のＬＥＤ光源を備えた発光ヘッドと、この発光ヘッドを支持するための基台と、
前記色温度の異なるＬＥＤ光源の配置を変更することにより特定箇所に対する前記各ＬＥＤ光源の照射割合を機械的に変更し得る可変支持機構とを具備してなることを特徴とする照明器具。
【請求項２】
前記可変支持機構が、前記基台に支持されたアームと、このアームの先端部に前記発光ヘッドを少なくとも水平旋回可能に取り付ける旋回接続部とを備えたものである請求項１記載の照明器具。
【請求項３】
前記発光ヘッドが、複数の給電部を有するコア部材と、このコア部材の各給電部に装着された複数種類のＬＥＤ光源とを備えたものである請求項１又は２記載の照明器具。
【請求項４】
前記可変支持機構が、複数の給電部を有するコア部材と、このコア部材の各給電部に着脱可能に装着された色温度の異なる複数種類のＬＥＤ光源とを備えた前記発光ヘッドである請求項３記載の照明器具。
【請求項５】
前記発光ヘッドが、前記コア部材及び前記ＬＥＤ光源の上を覆うシェードと、このシェードの下面側に配された反射板とをさらに備えている請求項３又は４記載の照明器具。
【請求項６】
前記コア部材が、両側面に開口させた対をなす溝に電極を内蔵して前記給電部をそれぞれ構成したものであり、前記コア部材の一側面に形成された給電部に第１のＬＥＤ光源を接続するとともに、他側面に形成された給電部に前記第１のＬＥＤ光源とは色温度の異なる第２のＬＥＤ光源を接続している請求項３、４又は５記載の照明器具。
【請求項７】
前記コア部材が、前記溝の長手寸法に添って複数の前記ＬＥＤ光源を配置し得るものである請求項６記載の照明器具。
【請求項８】
前記コア部材の何れかの側面に設けられた溝に接続するプラグを有し、当該プラグを介して外部から供給される電力を給電し得る電力供給部を更に具備するとともに、
前記発光ヘッドが、前記コア部材の一端部に装着され当該コア部材の両側面に設けた溝に内蔵された前記給電部同士を電気的に接続するキャップを有している請求項６又は７記載の照明器具。
【発明の詳細な説明】
【技術分野】
【０００１】
本発明は、机上等で使用されるＬＥＤを備えた照明器具に関するものである。
【背景技術】
【０００２】
従来、持続時間の長さ、省電力化を目的としてこれまでの白色電球や蛍光灯に代わって、光源としてＬＥＤを用いた照明器具が提案されてきている。そして近年のＬＥＤ自体の量産化に伴い、オフィス内の照明や、オフィス家具、さらには家庭用の照明器具にまで適用されてきており（例えば、特許文献１参照）、このような流れは今後も一層進んでいくものと思われる。
【先行技術文献】
【特許文献】
【０００３】
【特許文献１】特開２００７−２００７１９号公報
【発明の概要】
【発明が解決しようとする課題】
【０００４】
また、斯かるオフィスのデスク上において主に使用されるような照明器具は、そのオフィス自体の使用目的や使用者のそのときの好みによって、昼光色や電球色といった、色温度を異ならせた光を採用することも当然考えられる。
【０００５】
しかしながら上記特許文献１のみならず、従来の照明器具では照明の色温度を異ならせる為には光源そのものを取替えることが必要となるので、使用者が照明の色温度を異ならせるというよりは、使用者は予め色温度が異なる照明を選択しておくという考え方が採られているというのがこれまでの実態であった。
【０００６】
そして現在では、使用者がそのときの目的や希望に合わせて、自分の作業空間の照明の色温度を効率良く切り替え得るものが求められているのが現状である。
【０００７】
本発明は、このような点に着目したものであり、使用者が色温度の異なるＬＥＤ光源を容易に使い分けることができる照明器具を提供する
【課題を解決するための手段】
【０００８】
本発明は、このような目的を達成するために、次のような手段を講じたものである。すなわち本発明に係る照明器具は、色温度の異なる複数種類のＬＥＤ光源を備えた発光ヘッドと、この発光ヘッドを支持するための基台と、前記色温度の異なるＬＥＤ光源の配置を変更することにより特定箇所に対する前記各ＬＥＤ光源の照射割合を機械的に変更し得る可変支持機構とを具備してなることを特徴とする。
【０００９】
このようなものであれば、色温度の異なるＬＥＤの配置を変えるのみで、使用者に対して照射される光の色温度を異ならせることができる。すなわち使用者は色温度が異なるＬＥＤを新たに入手することなく、そのときの目的や気分、或いは状況に応じて色温度の異なる光を利用することが可能となる。
【００１０】
そして最も迅速に光の色温度を変更するためには、可変支持機構を、基台に支持されたアームと、このアームの先端部に発光ヘッドを少なくとも水平旋回可能に取り付ける旋回接続部とを備えたものとすることが望ましい。
【００１１】
そして色温度の異なるＬＥＤ光源を配置している発光ヘッドの具体的な構成として、当該発光ヘッドを、複数の給電部を有するコア部材と、このコア部材の各給電部に装着された複数種類のＬＥＤ光源とを備えたものとすることが好ましい。
【００１２】
また他方、容易に色温度を変化させるための他の方策として、可変支持機構を、複数の給電部を有するコア部材と、このコア部材の各給電部に着脱可能に装着された色温度の異なる複数種類のＬＥＤ光源とを備えた発光ヘッドとしてもよい。換言すれば、ＬＥＤ光源のコア部材に対する配置変更によっても、容易な色温度の変更が可能である。
【００１３】
特にＬＥＤ光源を適用した場合に、より効率良く、且つ使用者にとって快適に感じやすいように、光を使用者に向けて照射するためには、発光ヘッドを、コア部材及びＬＥＤ光源の上を覆うシェードと、このシェードの下面側に配された反射板とをさらに設けることにより、いわゆる間接照明として使用者に向けて光を照射し得る態様としておくことが望ましい。
【００１４】
そして色温度の異なるＬＥＤ光源を、色温度を異ならせ易いように配置しておくための好適な構成の一つとして、コア部材を、両側面に開口させた対をなす溝に電極を内蔵して給電部をそれぞれ構成したものであり、コア部材の一側面に形成された給電部に第１のＬＥＤ光源を接続するとともに、他側面に形成された給電部に第１のＬＥＤ光源とは色温度の異なる第２のＬＥＤ光源を接続している態様を挙げることができる。
【００１５】
使用者が感じる色温度をさらに細やかに変更したり、使用者に対して照射される光を強弱させたりも可能とするためには、コア部材を、溝の長手寸法に添って複数のＬＥＤ光源を配置し得る寸法としておくことが望ましい。
【００１６】
そして、上述した発光ヘッドに効率良く電力を供給するための具体的な構成として、コア部材の何れかの側面に設けられた溝に接続するプラグを有し、当該プラグを介して外部から供給される電力を給電し得る電力供給部を更に具備するものとし、加えて発光ヘッドを、コア部材の一端部に装着され当該コア部材の両側面に設けた溝に内蔵された給電部同士を電気的に接続するキャップを有したものとすれば良い。
【発明の効果】
【００１７】
本発明によれば、使用者が色温度の異なるＬＥＤ光源を容易に使い分けることができる照明器具を提供することができる。
【図面の簡単な説明】
【００１８】
【図１】本発明の一実施形態を示す外観図。
【図２】同実施形態の要部の底面図。
【図３】図２に係るＩ−Ｉ線断面図。
【図４】同実施形態に係る要部を一部破断して示す構成説明図。
【図５】同実施形態に係る要部の分解斜視図。
【発明を実施するための形態】
【００１９】
以下、本発明の第一実施形態を、図面を参照して説明する。本実施形態の照明器具Ａは、図１、図２、図３及び図４に示すように、基台１と、基台１に支持させたアーム２と、アーム２上に水平旋回可能に支持された発光ヘッド３と、アーム２に添接し且つ発光ヘッド３に電気的に接続している電力供給部４とを具備し、アーム２が基台１並びに発光ヘッド３に対してともに回転可能に配されることにより、発光ヘッド３を所要の位置に位置づけることができるものである。
【００２０】
ここで、本実施形態に係る照明器具Ａは、発光ヘッド３が有しているそれぞれ色温度の異なる昼光色ＬＥＤ３８ａ並びに電球色ＬＥＤ３８ｂを有したＬＥＤ光源３７の配置を変更することにより特定箇所に対する各ＬＥＤ光源３７の照射割合を機械的に変更し得る可変支持機構Ｘ１とを具備してなることを特徴とするものである。
【００２１】
以下、照明器具Ａの各構成要素について説明する。
【００２２】
基台１は、図１に示すように、基台本体１１と、この基台本体１１に螺合進退可能に結合され基台本体１１と協働して天板を挟持するクランプ部１２とを有している。なお本実施形態では使用者の動作を検知し得る人感センサを具備している。当該人感センサは基台１に対して水平旋回可能に取り付けられており、アーム２とは独立して旋回し得るものである。当該人感センサについては公知のものが採用でき具体的な説明は省略する。
【００２３】
アーム２は、図１、図２、図３、図４及び図５に示すように、基台１から斜め上方向に延伸しつつ上方に発光ヘッド３を回転可能に支持しているものであり、基台１における基台本体１１に上方から挿入することによって当該基台本体１１に対し水平方向で回転可能に接続している基端部２１と、上端において発光ヘッド３を水平方向に回転可能に支持している旋回接続部たる先端部２２と、アーム２自体の長手方向に亘って形成されたスリット２３とを有している。
【００２４】
電力供給部４は、図１、図２、図３、図４及び図５示すように、例えば家庭用電源を直流に変換し、且つ電圧を任意に変更し得る図示しないＡＣアダプタと、当該ＡＣアダプタに接続されたアーム２に設けられたスリット２３に収容されながら発光ヘッド３にまで延伸するコード４１と、当該コード４１の先端に配されて発光ヘッド３に直接接続しているプラグとを有している。
【００２５】
発光ヘッド３は、図１、図２、図３、図４及び図５示すように、全長に亘って断面形状が同一となるように形成されたコア部材たる給電レール３１と、給電レール３１に支持された、それぞれ色温度の異なるＬＥＤ光源３７と、給電レール３１及びＬＥＤ光源３７の上を覆うシェード３６と、このシェード３６の下面側に配された反射板３５とをさらに備えている。
【００２６】
給電レール３１は、同３、図４及び図５に示すように、断面視Ｓ字状に形成された例えばアルミ製の押し出し部材を主体としたものであり、両側に設けられた第1のレール溝３２と第２のレール溝３３と、当該両レール溝３２、３３の内面に配された給電部たる電極３４と、一端側に取り付けられ両レール溝３２、３３に配された電極３４同士を電気的に接続するキャップ３１ａとを具備している。そして給電レール３１は、両レール溝３２、３３の長手寸法に添って２つのＬＥＤ光源３７を配置し得るものである。また本実施形態では第２のレール溝３３の他端縁に、電力供給部４の先端であるプラグ４２を差し込んで、第２のレール溝３３内の電極３４に電気を供給するとともに、第２のレール溝３３の電極３４に供給された電力はキャップ３１ａを介して第1のレール溝３２にも供給されるものとなっている。シェード３６は、給電レール３１の上部をトンネル状に覆うように取り付けられており、ＬＥＤ光源３７からの光が上方に漏れるのを防ぐ役割を果たしている。そして反射板３５は、ＬＥＤ光源３７とシェード３６との間に傾斜させて配した鏡面状のものであり、ＬＥＤ光源３７から発せられた略全ての光を下方に向けて拡散させながら反射するものとしている。本実施形態に係る照明器具Ａでは、当該反射板３５を採用する間接照明とすることによって、使用者が眩しさを感じることなく快適に感じ得るものとなっている。特に当該反射板３５を採用することによって、直進性の高いＬＥＤ光を拡散させてさらに眩しさを低減させつつ、所要の大きさをなす領域にくまなく光を当てることができるものとなっている。
【００２７】
そしてＬＥＤ光源３７は、同３及び図５に示すように、それぞれ同一形状をなす昼光色ＬＥＤ３８ａまたは電球色ＬＥＤ３８ｂを有する光源本体３８と、基端側においてレール溝３２、３３に挿入される取付部３９とを有している。そして取付部３９の表裏には、レール溝３２、３３内の電極３４に接し得る取付電極３９ａを設けている。なお本実施形態では昼光色ＬＥＤ３８ａは色温度が５０００Ｋのものを採用するとともに、電球色ＬＥＤ３８ｂは色温度が２０００Ｋのものを採用している。
【００２８】
そして本実施形態では図２に示すように、昼光色ＬＥＤ３８ａを有するＬＥＤ光源３７を給電レール３１の第1のレール溝３２側に２つ取り付けるとともに、電球色ＬＥＤ３８ｂを有するＬＥＤ光源３７を第２のレール溝３３に取り付けたものとしている。
【００２９】
しかして本実施形態に係る照明器具Ａは、図１に示すように発光ヘッド３を水平旋回させることによって、使用者が所望する箇所に当たる光の色温度を容易に異ならせることが可能となっている。すなわち、アーム２が基台１並びに発光ヘッド３に対して水平方向に旋回可能に設けられることによって、上述の通りそれぞれ色温度の異なる複数のＬＥＤ光源３７の配置を変更することにより、当該アーム２が各ＬＥＤ光源３７の照射割合を機械的に変更し得る可変支持機構Ｘ１としての機能を果たしているものである。
【００３０】
具体的には、図２及び図５に示すように、給電レール３１の一側面すなわち第1のレール溝３２に形成された電極３４に第１のＬＥＤ光源３７である昼光色ＬＥＤ３８ａを有するＬＥＤ光源３７を接続するとともに、他側面すなわち第２のレール溝３３に形成された電極３４に第２のＬＥＤ光源３７すなわち電球色ＬＥＤ３８ｂを有しているＬＥＤ光源３７を接続しているものとしている。
【００３１】
そして図１に示すように発光ヘッド３をアーム２の先端部２２上で水平旋回させることにより、第1のレール溝３２に取り付けた昼光色ＬＥＤ３８ａを有するＬＥＤ光源３７を使用者側に向ければ昼光色ＬＥＤ３８ａの色合いが強い、すなわち明度の高い色調の光が使用者に届くことになる。
【００３２】
そして使用者が異なった色温度の光を所望するとなれば、使用者は発光ヘッド３を１８０°水平旋回させるだけでよい。すなわち、第２のレール溝３３に取り付けた電球色ＬＥＤ３８ｂを有するＬＥＤ光源３７を使用者側に向けることにより、電球色ＬＥＤ３８ｂの色合いが強い光が使用者に届くこととなる。
【００３３】
また本実施形態に係る照明器具Ａは図５に示すように、発光ヘッド３自体にも、本発明に係る可変支持機構Ｘ２としての機能を持たせている。すなわち、給電レール３１に対してＬＥＤ光源３７を着脱可能に構成することにより、色温度の異なるＬＥＤ光源３７を選択配置したり、また或いは全てのＬＥＤ光源３７を昼光色ＬＥＤ３８ａまたは電球色ＬＥＤ３８ｂを有したものに統一したりすることも可能である。
【００３４】
そうすることによって、例えば第1のレール溝３２に予め色温度の異なるＬＥＤ３８ａ、３８ｂを一つずつ配置しておくことで、昼光色と電球色との中間の色温度を有した光を所望の位置に照らすことも、予め何れかの色温度の光に選択しておくことも可能となっている。
【００３５】
以上のような構成とすることにより、本実施形態に係る照明器具Ａは、色温度の異なるＬＥＤ光源３７の配置を変えるのみで、使用者に対して照射される光の色温度を異ならせることができる。すなわち使用者は色温度が異なるＬＥＤ光源３７を新たに入手することなく、そのときの目的や気分、或いは状況に応じて色温度の異なる光を利用することが可能なものとなっている。
【００３６】
そして最も迅速に光の色温度を変更するために本実施形態では、可変支持機構Ｘ１を、基台１に支持されたアーム２と、このアーム２の先端部２２に発光ヘッド３を少なくとも水平旋回可能に取り付ける旋回接続部とを備えたものとして、発光ヘッド３を旋回させるのみで色温度の選択を可能なものとしている。
【００３７】
そして色温度の異なるＬＥＤ光源３７の配置を簡易な構成にて実現するために本実施形態では、発光ヘッド３を、複数の給電部たる電極３４を有する給電レール３１と、この給電レール３１の各電極３４に装着された複数種類の色温度を有した同形状のＬＥＤ光源３７とを配したものとしている。
【００３８】
特に本実施形態では、上記可変支持機構Ｘ１とは別に、容易に色温度を変化させるための可変支持機構Ｘ２を有している。すなわち給電レール３１に着脱可能にＬＥＤ光源３７を取り付けた発光ヘッド３とすることにおり、ＬＥＤ光源３７の給電レール３１に対する配置変更によっても、容易な色温度の変更が可能なものとなっている。
【００３９】
そしてＬＥＤ光源３７を適用した場合に、より効率良く、且つ使用者にとって快適に感じやすいように、光を使用者に向けて照射するために本実施形態では、発光ヘッド３を、給電レール３１及びＬＥＤ光源３７の上を覆うシェード３６と、このシェード３６の下面側に配された反射板３５とをさらに設けることにより、いわゆる間接照明として使用者に向けて光を照射し得る態様を適用している。
【００４０】
そして色温度の異なるＬＥＤ光源３７を、可変支持機構Ｘ１によって容易に色温度を異ならせるために本実施形態では、給電レール３１を、両側面に開口させた対をなす溝に電極３４を内蔵して給電部すなわち電極３４をそれぞれ構成したものとして、給電レール３１の一側面である第一のレール溝３２に形成された電極３４に第１のＬＥＤ光源３７、すなわち昼光色ＬＥＤ３８を配したＬＥＤ光源３７を接続するとともに、他側面たる第２のレール溝３３に形成された電極３４に第２のＬＥＤ光源３７すなわち電球色ＬＥＤ３８ｂを有したＬＥＤ光源３７を接続している態様を適用している。
【００４１】
また本実施形態では給電レール３１を、両レール溝３２、３３の長手寸法に添って二つのＬＥＤ光源３７を配置し得る寸法としておくことで、昼光色ＬＥＤ３８ａと電球色ＬＥＤとを隣接させて配置することも、レール溝３２、３３にＬＥＤ光源３７を一つのみ配置することで使用者に対して照射される光を弱めておくことも可能である。
【００４２】
そして本実施形態では、給電レール３１の第２のレール溝３３に接続しているプラグ４２を差し込んで、当該プラグ４２を介して外部から供給される電力を給電し得る電力供給部４を設けて、加えて発光ヘッド３を、給電レール３１の一端部に装着され当該給電レール３１の両レール溝３２、３３に内蔵された電極３４同士を電気的に接続するキャップ３１ａを取り付けるという簡単な構成で発光ヘッド３に効率良く電力を供給することを実現している。
【００４３】
以上、本発明の実施形態について説明したが、各部の具体的な構成は、上述した実施形態のみに限定されるものではなく、本発明の趣旨を逸脱しない範囲で種々変形が可能である。例えば、上記実施形態では昼光色ＬＥＤ並びに電球色ＬＥＤを適用した態様を開示したが、勿論、赤色、緑色、青色といった種々の色彩をなす光を発光し得るＬＥＤを適用したものであってもよい。そして可変支持機構は、上記実施形態における給電レール３１の長手方向に沿った軸線上で回転可能に構成しても良い。またＬＥＤ光源や給電レールの具体的な形状等の態様は上記実施形態のものに限定されることはなく、既存のものを含め、種々の態様のものを適用することができる。
【００４４】
その他、各部の具体的構成についても上記実施形態に限られるものではなく、本発明の趣旨を逸脱しない範囲で種々変形が可能である。
【符号の説明】
【００４５】
Ａ…照明器具
２２…旋回接続部（先端部）
３…発光ヘッド
３１…コア部材（給電レール）
３２…溝（第１のレール溝）
３３…溝（第２のレール溝）
３４…給電部（電極）
３７…ＬＥＤ光源
３８ａ…昼光色ＬＥＤ
３８ｂ…電球色ＬＥＤ
Ｘ１…可変支持機構
Ｘ２…可変支持機構
【図１】
2011054365.tif 000003
【図２】
2011054365.tif 000004
【図３】
2011054365.tif 000005
【図４】
2011054365.tif 000006
【図５】
2011054365.tif 000007